(57)【要約】      （修正有）【課題】フラットウォーカーを折り畳んで収納する場合に、机や椅子やベッドとして利用できる機能を有するフラットウォーカーの構造を提供する。【解決手段】台座前部の両側に対称の支柱を備え、フレームの四隅に伸縮式チューブが設けられており、一方の対称チューブが台座の支柱にピン接続されることにより、フレームを直立や水平の方向へ調整、固定させることが可能となる。またチューブの取り付け部に対してフレームの外側に板が固定してあり、この板の長い方の両側に折り畳み式の側板が設置され、板が水平状態になった場合、二つの側板が同じ平面になるよう折り曲げられて、板の使用スペースを拡大することを可能とする。【選択図】図１
0003109781.tif 000002
【実用新案登録請求の範囲】
【請求項１】
台座前方の両側に対称の支柱が設けられ、折り畳み・固定可能なフレームが備えられ、該フレームの四隅に伸縮式チューブが取り付けられ、一方の対称のチューブが台座の支柱に接続されてフレームを直立又は水平に調整し、固定させることが可能であり、該チューブの取り付け部に対して該フレームの外側に板が固定され、該板の長い辺の両側に折り畳み式の側板が設置されていることを特徴とする、台座、走行・歩行用ブラケット、及び走行ベルトを含む板付きフラットウォーカーの構造。
【請求項２】
台座の支柱にロックユニットが設けられ、該ロックユニットがロックできるように、フレームの下側にあるチューブにはロックユニットを合わせる位置に止め穴が設けられている、請求項１に記載のフラットウォーカーの構造。
【請求項３】
フレームの伸縮式チューブに位置決め装置が設けられている、請求項１に記載のフラットウォーカーの構造。
【請求項４】
前記位置決め装置が、チューブの内管にばね板が設置され、該ばね板の片端に内管より突出するリミットストップが備えられ、該リミットストップが位置決めできるよう外管に複数の止め穴が縦に設けられている、請求項３に記載のフラットウォーカーの構造。
【請求項５】
該板の長い辺の両側に複数の回転可能な止め具が設けてあり、側板を板と同じ平面にする際に、各回転可能な止め具を調整して側板を突っ張らせることができる、請求項１に記載のフラットウォーカーの構造。
【考案の詳細な説明】
【技術分野】
【０００１】
本考案は、フラットウォーカー（歩行運動装置）の台座に折り曲げ可能なフレームが設けられ、フレーム内側の四隅に対称となる伸縮式チューブが設けられ、フレームの外側に板が固定され、フレームを水平状態に折った際、板を机の天板として使用でき、及び伸縮式チューブを机の足として机の天板の高さが調整できるフラットウォーカーの構造に関する。
【背景技術】
【０００２】
周知の通り、従来の運動器には、収納時に要するスペースを縮小させるため、折り畳み機能のある構造を有するものが多数存在する。現在、市販されているフラットウォーカーの折り畳み構造の例としては、大きく２種類に分けることができ、走行台折り畳み構造と、手すり折り畳み構造とがある。上記の２種類ともに、フラットウォーカーの体積を縮小できる機能を有するが、これらのフラットウォーカーは走るための運動用機能しか提供することができない。フラットウォーカーを利用しない場合は、折り畳むことによりその体積を縮小できるが、依然として大きいスペースを必要とする。そのため、本考案者は、フラットウォーカー特有の基本構造を利用して、そして更なる設計を加えて、他の実用製品を生み出すために鋭意研究を重ね、本考案を完成した。
【考案の開示】
【考案が解決しようとする課題】
【０００３】
本考案は、フラットウォーカーが板と結合することにより、フラットウォーカーを折り畳んで収納する場合に、机や椅子やベッドとして利用できる機能を有するフラットウォーカーの構造を提供することを課題とする。
【課題を解決するための手段】
【０００４】
上記の課題を解決するために、本考案は、板付きフラットウォーカー構造を提供し、このフラットウォーカーは走行・歩行トレーニングをするための基本構造を有しており、その特徴としては、下記の通りである。
フラットウォーカーは台座前部の両側に対称の支柱が設けられており、支柱に折り畳み・固定可能なフレームが備えられる。フレーム内側の四隅に伸縮式チューブが取り付けられ、その一方の対称のチューブは台座の対称の支柱にピン接続され、他の一方の対称のチューブは手すり及び足として利用することができる。フレームの外側にフレームより少し外形の大きい板が固定され、板の使用スペースを拡大させるために、長い方の両側にそれぞれ折り畳み式の側板が設置されている。
本考案は上記の部品により構成され、フレームが折り畳まれた場合に、チューブは足として機能し、ピン接続されている板を水平状態にさせ、フラットウォーカーを机、椅子又はベッドとして使用することができる。
【考案を実施するための最良の形態】
【０００５】
以下、図面を参照して本考案を実施するための一例を詳しく説明する。図１、図２、図５の示す通り、本考案は板付きフラットウォーカー構造であって、通常の回転可能ループ走行・歩行ベルト付きフラットウォーカー１０の構造をもとにして、改良を加えたものである。このフラットウォーカー１０の基本となる部品は、地面に置かれる台座１１、台座１１にピン接続されている走行・歩行用ブラケット１２、このブラケット１２に取り付けられているループ走行・歩行ベルト１３である。その特徴としては、以下の通りである。
【０００６】
台座１１前方の両側に対称の支柱１１１が設けられている。
折り畳み・固定可能なフレーム２０が備えられ、フレーム２０は長方形であり、その片面の四隅に対称の伸縮式チューブ２１が取り付けられ、反対面には長方形の板２２が固定されている。このフレーム２０の片側にある対称チューブ２１は折り畳みできるよう台座１１の支柱１１１にピン接続されている。ここで、長方形の板２２は長い辺の両側にそれぞれ折り畳み式側板２２１がピン接続され、板２２のフレーム２０側の面であって、二つの側板２２１の縁に近い箇所に、複数の回転止め具２２２が設けられている。これにより、折り畳み式側板２２１を板２２と同じ水平面に調整した場合に、各回転止め具２２２を回して側板２２１の端面に突っ張らせることにより、固定の効果が得られる（図５参照）。
【０００７】
従ってフレーム２０が直立状態になった場合、フラットウォーカー１０として使用でき、さらにフレーム２０上方の対称の伸縮式チューブ２１の長さを調整して手すりとして使用できる機能を有している。フレーム２０が水平状態になった場合、フレーム２０に固定されている板２２は天板となり、収納する時の体積を縮小できるだけでなく、フレーム２０の板２２を机の面、椅子、及びベッド板としても使用でき、即ち、一つの装置に二つの機能を持つという特徴を実現した。
【０００８】
図３、図４に示すように、フレームの伸縮式チューブ２１は内管２１１と外管２１２で合わせて構成されている。この内管２１１は片端がフレーム２０に固定されて、適切な間隔をおいていくつかの貫通孔２１１１が設けられ、止めピン２１３をそこに入れて位置決め装置とする。外管２１２には通し穴２１２１が設けられており、内管２１１の各貫通孔２１１１と合わせて、外管２１２の位置を調整することによりチューブ２１の長さを変えることができる。その中で、台座１１の支柱１１１とピン接続されている伸縮式チューブ２１は、支柱１１１のロックユニット１１２によりロックできるように、外管２１２の任意の位置に止め穴２１２２が設けられている。
また、チューブの内管にばね板を設置し、ばね板の片端に突出するリミットストップが備えられ、内管から突出し、該リミットストップが位置決めを行えるよう、外管に複数の止め穴を縦に設けてもよい。
【０００９】
また、図３に示すように、フレーム２０の下側にある対称の伸縮式チューブ２１の外管２１２の外にシャフトロッド２１２３が設けられている。対称のシャフトロッド２１２３が台座１１の支柱１１１にピン接続され、フレーム２０はこれを支点として折り畳み調整が可能となる。なお、台座１１の支柱１１１は、”コ”の字形をして、二つの横板の間にある縦板にロックユニット１１２が設けられており、そしてその上端部に切欠き１１３が設けられている。フレーム２０が縦状態になった場合、この縦板の切欠き１１３は、フレーム２０の伸縮式チューブ２１により突っ張られる。フレーム２０が横状態になった場合、伸縮式チューブ２１の外管２１２にある止め穴２１２２は支柱１１１のロックユニット１１２に合わせられる。このように、ロックユニット１１２を止め穴２１２２にロックすることにより、フレーム２０を確実に固定させる効果が得られる。上記のロックユニット１１２をネジに、支柱１１１にある止め穴１１２をネジ穴にしてもよい。
図６と図７はこの考案の最良の実施形態を示すフレームを横の状態に折り畳んだ場合の概略図と天板の高さを調整する概略図である。フレーム２０が横（水平）の状態になった場合、その上に固定されている板２２が上部にあるので、板２２を机の天板として使用でき、同時に椅子とベッド板として使用できる。そして、伸縮式チューブ２１の伸縮位置を調整することにより、板２２の高さが変えられる機能も提供される。
上記の実施形態で実施するための最良の一例として説明したが、本考案の構造はこの実施形態に限定されるものではない。同様の効果をもたらす全ての構造変更はこの考案の技術範囲に含まれるものである。
【産業上の利用可能性】
【００１０】
本考案の構造は、フラットウォーカーの機能を保有するだけでなく、さらに机、椅子、及びベッドの役割も兼ねるものである。
【図面の簡単な説明】
【００１１】
【図１】本考案の側面図である。
【図２】本考案の上面図である。
【図３】本考案の台座とフレームのピン接続部の断面図である。
【図４】本考案のフレームが直立状態である場合の上側のチューブの断面図である。
【図５】本考案の板の斜視図である。
【図６】本考案のフレームが折り畳まれた状態の側部断面図である。
【図７】本考案のフレームの高さが調節される状態の側部断面図である。
【符号の説明】
【００１２】
１０      フラットウォーカー
１１      台座
１１１    支柱
１１２    ロックユニット 
１１３    切欠き
１２      走行・歩行用ブラケット
１３      走行・歩行ベルト
２０      フレーム
２１      伸縮式チューブ
２１１    内管
２１１１  貫通孔 
２１２    外管
２１２１  通し穴
２１２２  止め穴
２１２３  シャフトロッド
２１３    止めピン
２２      板
２２１    側板
２２２    止め具
【図１】
0003109781.tif 000003
【図２】
0003109781.tif 000004
【図３】
0003109781.tif 000005
【図４】
0003109781.tif 000006
【図５】
0003109781.tif 000007
【図６】
0003109781.tif 000008
【図７】
0003109781.tif 000009